(57)【特許請求の範囲】
【請求項１】
画像データ上の色を規定する第１の色空間の座標と画像上の色を規定する第２の色空間の座標との対応関係が画像データと画像との間を媒介するデバイスに応じて定義された色再現特性を表示する色再現特性表示装置において、
前記第１の色空間内の所望の座標範囲を操作に応じて指定する範囲指定部と、
前記第１の色空間内を格子状に区切ったときの各格子点の座標のうちの前記範囲指定部で指定された座標範囲内の各座標に対応する前記第２の色空間上の座標点をプロットした色再現画像を表示する画像表示部とを備えたことを特徴とする色再現特性表示装置。
【請求項２】
前記画像表示部は、前記色再現画像を、操作に応じて切り換えて、二次元表示で、あるいは三次元表示で、表示するものであることを特徴とする請求項１記載の色再現特性表示装置。
【請求項３】
前記色再現画像上にプロットされた点のうちの所望の点を操作に応じて指定する表示プロット指定部を備え、
前記画像表示部は、前記色再現画像とともに、前記表示プロット指定部により指定された前記色再現画像上の点に相当する、前記第１の色空間上の座標値と前記第２の色空間上の座標値とを表示するものであることを特徴とする請求項１記載の色再現特性表示装置。
【請求項４】
前記色再現画像上にプロットされた点のうちの所望の２つの点を操作に応じて指定する表示プロット指定部を備え、
前記画像表示部は、前記色再現画像とともに、前記表示プロット指定部により指定された前記色再現画像上の２つの点の、前記第２の色空間における距離の情報を表示するものであることを特徴とする請求項１記載の色再現特性表示装置。
【請求項５】
前記画像表示部は、複数の出力デバイスに相当する複数の色再現画像を重ねて表示するモードを有するものであることを特徴とする請求項１記載の色再現特性表示装置。
【請求項６】
コンピュータを、画像データ上の色を規定する第１の色空間の座標と画像上の色を規定する第２の色空間の座標との対応関係が画像データと画像との間を媒介するデバイスに応じて定義された色再現特性を表示する色再現特性表示装置として動作させる色再現特性表示プログラムを記憶した色再現特性表示プログラム記憶媒体において、
前記色再現特性表示プログラムが、
前記第１の色空間内の所望の座標範囲を操作に応じて指定する範囲指定部と、
前記第１の色空間内を格子状に区切ったときの各格子点の座標のうちの前記範囲指定部で指定された座標範囲内の各座標に対応する前記第２の色空間上の座標点をプロットした色再現画像を表示する画像表示部とを有するものであることを特徴とする色再現特性表示プログラム記憶媒体。
【発明の詳細な説明】
【０００１】
【発明の属する技術分野】
本発明は、画像を画像データに変換する、カラースキャナやディジタルスケールカメラ等の入力デバイスや、画像データに基づいて画像を出力する印刷機やプリンタ等の出力デバイス（画像を表示画面上に出力（表示）する、ディスプレイ装置等の表示デバイスを含む）など、画像データと画像との間を媒介するデバイスに応じて定義された色再現特性を表示する色再現特性表示装置、およびコンピュータをそのような色再現特性表示装置として動作させる色再現特性表示プログラムを記憶した色再現特性表示プログラム記憶媒体に関する。
【０００２】
【従来の技術】
従来より、例えばカラースキャナあるいは電子スケールカメラ等の入力デバイスで、画像（ここでは原稿画像と称する）を取り込んで画像データを得、その画像データに基づいて今度は印刷機あるいはプリンタで、あるいはディスプレイ画面上に、その原稿画像が再生された再生画像を得ることが行なわれている。この場合、入力デバイスに応じた、原稿画像上の色と画像データ上の色とを対応づける色再現特性（プロファイル）と、印刷機やプリンタ等の出力デバイスに応じた、画像データ上の色と再生画像上の色とを対応づける色再現特性（プロファイル）とを求め、入力デバイスで原稿画像から得られた画像データを、それら双方の色再現特性に基づいて出力デバイスに適合した画像データに変換し、その出力デバイス用の画像データに基づいて再生画像を出力する。こうすることにより、もともとの原稿画像と色の一致した再生画像を得ることができる。
【０００３】
また、これと同様のことは、出力デバイスどうしの間でも生じる。次に、その例について説明する。
【０００４】
従来より、印刷機を用いてカラー画像印刷を行なうにあたっては、印刷を行なう前に、カラープリンタ等を用いて、その印刷機で印刷される画像の色と極力同じ色に似せたプルーフ画像を作成することが行なわれている。プリンタでプルーフ画像を作成するにあたっては、印刷を行なおうとしている印刷機に対応した、画像データと実際の印刷物の色との関係を記述した色再現特性（印刷プロファイル）と、プリンタに対応した、画像データと実際にプリント出力される画像の色との関係を記述した色再現特性（プリンタプロファイル）とを知り、これらの印刷プロファイルとプリンタプロファイルとに基づいて印刷用の画像データをプリンタ用の画像データに変換し、この変換されたプリンタ用の画像データに基づいてプルーフ画像を作成する。こうすることにより、実際の印刷物と色の一致したプルーフ画像を作成することができる。
【０００５】
上記のようにして色を一致させた画像を得るためには、入力デバイスや出力デバイスの色再現特性（プロファイル）を正確に求める必要がある。この色再現特性（プロファイル）を求めるにあたっては、例えば入力デバイスの場合は、カラーパッチが配列されたカラーチャートをその入力デバイスで読み取って画像データに変換し、画像データ上の色空間（デバイス色空間；例えばシアン（Ｃ）、マゼンタ（Ｍ）、イエロー（Ｙ）、および黒（Ｋ）の４色からなるＣＭＹＫ色空間、あるいはレッド（Ｒ）、グリーン（Ｇ）、およびブルー（Ｂ）の３色からなるＲＧＢ色空間等）の座標（ＣＭＹＫ値あるいはＲＧＢ値等）を求めるとともに、その同じカラーチャートを分光測色計で測色して測色色空間（例えばＬ*ａ*ｂ*色空間あるいはＸＹＺ色空間等）の座標（Ｌ*ａ*ｂ*値あるいはＸＹＺ値等）を求め、それらデバイス色空間上の座標と測色色空間上の座標とを対応づけることにより、その入力デバイスの色再現特性（プロファイル）が求められる。
【０００６】
また、出力デバイスの色再現特性（プロファイル）を求めるにあたっては、カラーパッチが配列されたカラーチャートに相当する画像データを作成し、その画像データに基づいて出力デバイスでカラーチャートを出力し、そのカラーチャートを分光測色計で測色し、そのようにして得た画像データ上の色空間（デバイス色空間）の座標と測色色空間の座標とを対応づけることにより、その出力デバイスの色再現特性が求められる。
【０００７】
【発明が解決しようとする課題】
ところが、そのようにして入力デバイスや出力デバイスの色再現特性を慎重に求め、それらの色再現特性に基づいて画像データを変換しても、様々な誤差や変動要因により、原稿画像と再生画像との間、あるいは印刷物とプルーフ画像との間の色が微妙に食い違うという現像が生じる。
【０００８】
このような状況下にある中で、例えばカラープリンタで出力された画像の色がカラースキャナで画像データを取り込んだときの原稿画像の色を正しく再現しているか否か、あるいはカラープリンタで出力された画像の色が印刷物上の画像の色と一致しているか否か等を評価しようとしたとき、従来は、実際にプリント出力を行なってそのプリント出力画像を評価することにのみ重点が置かれ、プロファイル上では、例えば、二次元平面上に、カラースキャナとカラープリンタの双方のプロファイルの輪郭、あるいは印刷機とカラープリンタの双方のプロファイルの輪郭を表現し、その輪郭からどの色領域がカラープリンタでは再現されない、あるいは再現される、といった程度の評価が行なわれていたに過ぎず、そのような、プロファイルの輪郭の近傍ぎりぎりの領域の大雑把な評価ではなく、例えばカラースキャナとカラープリンタの双方のプロファイル、あるいは印刷機とカラープリンタの双方のプロファイルが十分重なっている中央の領域において、原稿画像上のどの色がカラープリンタで出力された再生画像上でどのように一致しあるいは相違しているか、あるいは、ある値の画像データが印刷機あるいはプリンタでどのような色に変換されるか、あるいは、印刷機とカラープリンタとで色変換がどのように一致あるいは相違しているかといった、細かい点をプロファイル上で検討し、評価するためのツールとして適当なものは見当らないのが現状である。
【０００９】
本発明は、上記事情に鑑み、プロファイルデータ上で詳細な検討を行なうのに適した色再現特性表示装置および色再現特性表示プログラム記憶媒体を提供することを目的とする。
【００１０】
【課題を解決するための手段】
上記目的を達成する本発明の色再現特性表示装置は、画像データ上の色を規定する第１の色空間の座標と画像上の色を規定する第２の色空間の座標との対応関係が画像データと画像との間を媒介するデバイスに応じて定義された色再現特性を表示する色再現特性表示装置において、
上記第１の色空間内の所望の座標範囲を操作に応じて指定する範囲指定部と、上記第１の色空間内を格子状に区切ったときの各格子点の座標のうちの範囲指定部で指定された座標範囲内の各座標に対応する第２の色空間上の座標点をプロットした色再現画像を表示する画像表示部とを備えたことを特徴とする。
【００１１】
本発明の色再現特性表示装置は、例えばＲＧＢあるいはＣＭＹＫ等であらわされるデバイス色空間（第１の色空間）内の各格子点の座標に対応する、Ｌ*ａ*ｂ*あるいはＸＹＺ等であらわされる第２の色空間上の各座標点をプロットした色再現画像を表示するものであり、しかも第１の色空間内の指定された座標範囲のみプロットした色再現画像を表示するものであるため、プロファイルの所望の領域内の一点一点が表示され、詳細な検討、評価を行なうことができる。
【００１２】
ここで、上記本発明の色再現特性表示装置において、上記画像表示部は、上記色再現画像を、操作に応じて切り換えて、二次元表示で、あるいは三次元表示で、表示するものであることが好ましい。
【００１３】
その検討、評価の内容によって二次元表示の方が適している場合と三次元表示の方が適している場合があるからである。
【００１４】
また、上記本発明の色再現特性表示装置において、色再現画像上にプロットされた点のうちの所望の点を操作に応じて指定する表示プロット指定部を備え、画像表示部は、色再現画像とともに、表示プロット指定部により指定された色再現画像上の点に相当する、第１の色空間上の座標値と第２の色空間上の座標値とを表示するものであることが好ましい。
【００１５】
このように、色再現画像上にあらわれる多数の点のうちの所望の点を指定して、その点に関する、第１の色空間（例えばデバイス色空間）の座標値と第２の色空間（例えば測色色空間）の座標値を表示すると、色再現画像上の点と色空間上の座標値との関係が数値上で明確となり、詳細は検討、評価に一層便利となる。
【００１６】
さらに、上記本発明の色再現特性表示装置において、色再現画像上にプロットされた点のうちの所望の２つの点を操作に応じて指定する表示プロット指定部を備え、
画像表示部は、色再現画像とともに、表示プロット指定部により指定された色再現画像上の２つの点の、第２の色空間における距離の情報を表示するものであることが好ましい。
【００１７】
このように、色再現画像上にプロットされた点のうちの２点間の距離の情報、典型的には色差を表示することも、詳細な検討、評価に一層便利となる。
【００１８】
さらに、上記本発明の色再現特性表示装置において、画像表示部は、複数の出力デバイスに相当する複数の色再現画像を重ねて表示するモードを有するものであることが好ましい。
【００１９】
このように、複数の出力デバイスに相当する複数の色再現画像を重ねて表示すると、例えば、カラースキャナのプロファイルとカラープリンタのプロファイルとの間、あるいは印刷機のプロファイルとカラープリンタのプロファイルとの間の、対応する一点一点の位置関係を１つの画面上で比較することができる。
【００２０】
また、本発明の色再現特性表示プログラム記憶媒体は、コンピュータを、画像データ上の色を規定する第１の色空間の座標と画像上の色を規定する第２の色空間の座標との対応関係が画像データと画像との間を媒介するデバイスに応じて定義された色再現特性を表示する色再現特性表示装置として動作させる色再現特性表示プログラムを記憶した色再現特性表示プログラム記憶媒体において、
そこに記憶された色再現特性表示プログラムが、
上記第１の色空間内の所望の座標範囲を操作に応じて指定する範囲指定部と、上記第１の色空間内を格子状に区切ったときの各格子点の座標のうちの範囲指定部で指定された座標範囲内の各座標に対応する上記第２の色空間上の座標点をプロットした色再現画像を表示する画像表示部とを有するものであることを特徴とする。
【００２１】
本発明の色再現特性表示プログラム記憶媒体に記憶された色再現特性表示プログラムは、それをコンピュータにインストールして実行させたときにそのコンピュータを本発明の色再現特性表示装置として動作させるものであり、この色再現特性表示プログラムには、本発明の色再現特性表示装置の各種態様全てに相当する態様全てが含まれる。
【００２２】
【発明の実施の形態】
以下、本発明の実施形態について説明する。
【００２３】
ここでは、一例として、カラープリンタでプリント出力されるプルーフ画像上の色が印刷機で得られる印刷物上の色にどの程度一致あるいは相違しているかを評価するために、カラープリンタのプロファイルを表示すること、およびカラープリンタと印刷機との双方のプロファイルを重ねて表示することを中心に説明する。
【００２４】
図１は、本発明の一実施形態が適用された印刷およびプルーフ画像作成システムの全体構成図である。
【００２５】
カラースキャナ１０では、原稿画像１１が読み取られて、その読み取った原稿画像１１をあらわすＣＭＹＫ４色の色分解画像データが生成される。このＣＭＹＫの画像データはワークステーション２０に入力される。ワークステーション２０では、オペレータにより、入力された画像データに基づく、電子的な集版が行なわれ、印刷用の画像をあらわす画像データが生成される。この印刷用の画像データは、印刷を行なう場合は、フィルムプリンタ３０に入力され、フィルムプリンタ３０では、その入力された画像データに対応した、ＣＭＹＫ各版の印刷用フィルム原版が作成される。
【００２６】
この印刷用フィルム原版からは刷版が作成され、その作成された刷版が印刷機４０に装着される。この印刷機４０に装着された刷版にはインクが塗布され、その塗布されたインクが印刷用の用紙上に転移されてその用紙上に印刷画像４１が形成される。
【００２７】
このフィルムプリンタ３０によりフィルム原版を作成し、さらに刷版を作成して印刷機４０に装着し、その刷版にインクを塗布して用紙上に印刷を行なう一連の作業は、大がかりな作業であり、コストもかかる。このため、実際の印刷作業を行なう前に、プリンタ６０により、以下のようにしてプルーフ画像６１を作成し、印刷画像４１の仕上りの事前確認が行なわれる。
【００２８】
プルーフ画像を作成するにあたっては、ワークステーション２０上の電子集版により作成された画像データがパーソナルコンピュータ５０に入力される。ここで、このパーソナルコンピュータ５０に入力される画像データは、いわゆるＰＤＬ（Ｐａｇｅ  Ｄｅｓｃｒｉｐｔｉｏｎ  Ｌａｎｇｕａｇｅ）で記述された記述言語データであり、パーソナルコンピュータ５０では、いわゆるＲＩＰ（Ｒａｓｔｅｒ  Ｉｍａｇｅ  Ｐｒｏｃｅｓｓｏｒ）により、ビットマップに展開されたＣＭＹＫ４色の画像データに変換される。このＣＭＹＫ４色の画像データは、実質的には、フィルムプリンタ３０に入力される印刷用の画像データと同一である。
【００２９】
このＣＭＹＫ４色の印刷用の画像データは、このパーソナルコンピュータ５０の内部で、ＬＵＴ（Ｌｏｏｋ  Ｕｐ  Ｔａｂｌｅ）の形式を持つ色変換定義が参照され、プリンタ６０に適合したＣＭＹＫ４色の画像データに変換される。プリンタ６０には、そのプリンタ用のＣＭＹＫ４色の画像データが入力され、プリンタ６０では、その入力されたプリンタ用のＣＭＹＫ４色の画像データに基づくプルーフ画像６１が作成される。
【００３０】
ここで、印刷機４０による印刷で得られた画像４１とプリンタ６０で得られたプルーフ画像の色の一致の程度は、パーソナルコンピュータ５０内の色変換定義により定まる。この色変換定義は、プリンタごと各プリント条件ごとに作成される。
【００３１】
また、この図１には印刷機は１台のみ示されているが印刷機も複数台存在していてもよく、あるいは１台の印刷機であっても異なる複数の印刷条件が存在してもよく、色変換定義は、印刷機の相異を含めた複数の印刷条件それぞれに応じて作成される。すなわち、色変換定義は、印刷条件のそれぞれとプリンタそれぞれ（１台のプリンタで複数のプリント条件が存在するときは各プリント条件それぞれ）との組合せに応じて作成されることになる。この図１に示す分光測色計７０およびパーソナルコンピュータ８０はその色変換定義の作成に関連するものでる。
【００３２】
このようにしてプルーフ画像を作成してそのプルーフ画像を確認することにより、印刷の仕上りを事前に確認することができる。
【００３３】
ここで、この図１に示すプルーフ画像作成システムにおける、本発明の一実施形態としての特徴は、パーソナルコンピュータ８０の内部で実行される処理内容にあり、以下、このパーソナルコンピュータ８０について説明する。
【００３４】
図２は、図１にブロックで示す分光測色計７０およびパーソナルコンピュータ８０の外観斜視図、図３は、そのパーソナルコンピュータ８０のハードウェア構成図である。
【００３５】
この図２に示す分光測色計７０には複数のカラーパッチが配列されたカラーチャート９０が乗せられ、そのカラーチャート９０を構成する複数のカラーパッチそれぞれについて測色値（ここではＬ*ａ*ｂ*とする）が測定される。この分光測色計７０での測定により得られた各カラーパッチの測色値を表わす測色データは、ケーブル９１を経由してパーソナルコンピュータ８０に入力される。
【００３６】
このカラーチャート９０は、図１に１つのブロックで示す印刷機４０での印刷により、あるいはプリンタ６０でのプリント出力により作成されたものであり、パーソナルコンピュータ８０は、このカラーチャート９０を構成する各カラーパッチに対応する色データ（デバイス色空間上の座標；ＣＭＹＫあるいはＲＧＢの各値）を知っており、このパーソナルコンピュータ８０では、そのカラーチャート９０の各カラーパッチの色データと分光測色計７０で得られた測色データとに基づいて、印刷プロファイルやプリンタプロファイルが作成される。この点に関する詳細説明は後に譲り、ここでは、次に、パーソナルコンピュータ８０のハードウェア構成について説明する。
【００３７】
このパーソナルコンピュータ８０は、外観構成上、本体装置８１、その本体装置８１からの指示に応じて表示画面８２ａ上に画像を表示する画像表示装置８２、本体装置８１に、キー操作に応じた各種の情報を入力するキーボード８３、および、表示画面８２ａ上の任意の位置を指定することにより、その位置に表示された、例えばアイコン等に応じた指示を入力するマウス８４を備えている。この本体装置８１は、外観上、フロッピィディスクを装填するためのフロッピィディスク装填口８１ａ、およびＣＤ−ＲＯＭを装填するためのＣＤ−ＲＯＭ装填口８１ｂを有する。
【００３８】
本体装置８１の内部には、図３に示すように、各種プログラムを実行するＣＰＵ８１１、ハードディスク装置８１３に格納されたプログラムが読み出されＣＰＵ８１１での実行のために展開される主メモリ８１２、各種プログラムやデータ等が保存されたハードディスク装置８１３、フロッピィディスク１００が装填されその装填されたフロッピィディスク１００をアクセスするＦＤドライバ８１４、ＣＤ−ＲＯＭ１１０が装填され、その装填されたＣＤ−ＲＯＭ１１０をアクセスするＣＤ−ＲＯＭドライバ８１５、分光測色計７０（図１，図２参照）と接続され、分光測色計７０から測色データを受け取るＩ／Ｏインタフェース８１６、プリンタ６０に画像データを送るプリンタインタフェース８１７が内蔵されており、これらの各種要素と、さらに図２にも示す画像表示装置８２、キーボード８３、マウス８４は、バス８５を介して相互に接続されている。
【００３９】
ここで、ＣＤ−ＲＯＭ１１０には、このパーソナルコンピュータ８０を色再現特性表示装置として動作させるための色再現特性表示プログラムが記憶されており、そのＣＤ−ＲＯＭ１１０はＣＤ−ＲＯＭドライバ８１８に装填され、そのＣＤ−ＲＯＭ１１０に記憶された色再現特性表示プログラムがこのパーソナルコンピュータ８０にアップロードされてハードディスク装置８１３に記憶される。
【００４０】
なお、このパーソナルコンピュータ８０による、以下において説明するプロファイルや色変換定義の作成の機能は、本発明の主題ではなく、その機能を実現するために必要なプログラム等は既にパーソナルコンピュータ８０にインストールされているものとする。
【００４１】
ここで、ＣＤ−ＲＯＭ１１０に本発明の色再現特性表示プログラムの一実施形態が記憶されているときは、このＣＤ−ＲＯＭ１１０は本発明の色再現特性表示プログラム記憶媒体の一実施形態に相当し、その色再現特性表示プログラムがアップロードされてハードディスク装置８１３に格納されたときは、その色再現特性表示プログラムが格納された状態にあるハードディスク装置８１３も本発明の色再現特性表示プログラム記憶媒体の一実施形態に相当する。さらにその色再現特性表示プログラムがフロッピィディスク１００にダウンロードされたときは、その色再現特性表示プログラムを記憶した状態にあるフロッピィディスク１００も、本発明の色再現特性表示プログラム記憶媒体の一実施形態に相当する。
【００４２】
次に、このパーソナルコンピュータ８０内に構築された、色変換定義の作成方法について説明する。
【００４３】
ここでは、先ず印刷プロファイルが作成される。
【００４４】
図１に示すワークステーションからＣＭＹＫ４色の網％データを例えば０％，１０％，……，１００％と順次変化させ、前述の印刷手順に従って、そのようにして発生させた網％データに基づくカラーチャートを作成する。図１に示す画像４１は、カラーチャートを表わしている画像ではないが、この画像４１に代えて図２に示すカラーチャート９０と同様なカラーチャートを印刷したものとし、そのカラーチャートを構成する各カラーパッチを分光測色計７０で測定する。こうすることにより、ＣＭＹＫ４色の色空間上の座標値と測色色空間上の座標値との対応関係をあらわす印刷プロファイルが構築される。
【００４５】
図４は、印刷プロファイルの概念図である。
【００４６】
この印刷プロファイルには、ＣＭＹＫ（本発明にいう第１の色空間の一例）で定義された画像データが入力され、そのＣＭＹＫの画像データがＬ*ａ*ｂ*（本発明にいう第２の色空間の一例）で定義された画像データに変換される。
【００４７】
次に、プリンタプロファイルを作成する。
【００４８】
このプリンタプロファイルの作成方法は、カラーチャートを出力する出力デバイスが印刷機ではなくプリンタであるという点を除き、印刷プロファイルの作成方法と同様である。すなわち、ここでは、図１に示すパーソナルコンピュータ５０で、ＣＭＹＫ４色の網％データを各色について０％，１０％，…，１００％と順次変化させ、そのように順次発生させた網％データをプリンタ６０に送り、プリンタ６０でその網％データに基づくカラーチャートをプリント出力する。図１に示す画像６１は、カラーチャートをあらわしている画像ではないが、プリンタ６０では、この画像６１に代えて、印刷プロファイルの作成のために印刷機４０での印刷により作成したカラーチャートと同一タイプのカラーチャートを出力したものとし、そのカラーチャートを構成する各カラーパッチを分光測色計７０で測色する。こうすることにより、プリンタ６０についての、ＣＭＹＫ４色の色空間上の座標値と測色色空間（Ｌ*ａ*ｂ*空間）上の座標値との対応関係をあらわすプリンタプロファイルが構築される。
【００４９】
図５は、プリンタプロファイルの概念図である。
【００５０】
このプリンタプロファイルには、ＣＭＹＫの網％データが入力され、そのＣＭＹＫの網％データがＬ*ａ*ｂ*の測色データに変換される。ここでは、この、ＣＭＹＫの網％データをＬ*ａ*ｂ*の測色データに変換するプリンタプロファイル（順変換プリンタプロファイル）をＰであらわし、その逆変換、すなわちＬ*ａ*ｂ*の測色データをＣＭＹＫの網％データに変換するプリンタプロファイル（逆変換プリンタプロファイル）をＰ-1であらわす。
【００５１】
尚、ここではプリンタ６０はＣＭＹＫの網％データに基づいて画像を出力するプリンタであるとして説明したが、例えばＲＧＢのデータに基づく画像を出力するプリンタに関しても、パーソナルコンピュータ５０で、ＲＧＢ空間で定義されたデータを発生させてカラーチャートを出力することにより、同様にしてそのプリンタに適合したプリンタプロファイルを作成することができる。
【００５２】
ただしここでは、ＣＭＹＫの網％データに基づいて画像を出力するプリンタ６０を使用するものとして説明する。
【００５３】
図６は、印刷プロファイルとプリンタプロファイルを結合させた結合プロファイルを示す図である。
【００５４】
印刷用のＣＭＹＫの網％データを印刷プロファイルＴによりＬ*ａ*ｂ*の測色データに変換し、次いでそのＬ*ａ*ｂ*の測色データを逆変換プリンタプロファイルＰ-1により再び、ただし今度はプリンタ用の、ＣＭＹＫの網％データに変換する。このようにして生成したプリンタ用のＣＭＹＫの網％データに基づいて、プリンタ６０により、印刷と同じ色のプルーフ画像を出力することができる。この印刷プロファイルＴと逆変換プリンタプロファイルＰ-1との結合からなる結合プロファイルは、印刷用のＣＭＹＫ色空間からプリンタ用のＣＭＹＫの色空間に変換する色変換定義である。
【００５５】
図１に示す印刷およびプルーフ画像作成システムを構成するパーソナルコンピュータ８０でこのような色変換定義を作成し、この作成した色変換定義を図１に示す印刷およびプルーフ画像作成システムを構成するパーソナルコンピュータ５０にインストールして、ワークステーション２０から入力されたＰＤＬで記述された画像データをＣＭＹＫの画像データに変換した後、そのＣＭＹＫの画像データを、その色変換定義を用いてプリンタ用のＣＭＹＫの画像データに変換し、プリンタ６０により、そのプリンタ用のＣＭＹＫの画像データに基づく画像をプリント出力することにより、印刷の画像に対するプルーフ画像が作成される。
【００５６】
尚、図１に示すパーソナルコンピュータ８０で結合プロファイルまで作成する必要は必ずしもなく、パーソナルコンピュータ８０では印刷プロファイルあるいはプリンタプロファイルを作成し、その作成された印刷プロファイルあるいはプリンタプロファイルをパーソナルコンピュータ５０に入力し、パーソナルコンピュータ５０で結合プロファイルを作成してもよい。
【００５７】
次に、パーソナルコンピュータ８０による、上記のようにして作成されたプロファイルの表示態様について説明する。
【００５８】
図７は、本発明の色再現特性表示プログラム記憶媒体の一実施形態を示す図である。ここに示す色再現特性表示プログラム記憶媒体７００は、図３に示す構成における、色再現特性表示プログラム７１０を記憶した状態にある、ＣＤＲＯＭ１１０、フロッピィディスク１００、ハードディスク装置８１３等を代表的に示したものである。
【００５９】
この図７に示す色再現特性表示プログラム記憶媒体７００に記憶された色再現特性表示プログラム７１０は、範囲指定部７１１、画像表示部７１２、表示プロット指定部７１３、およびモード切替部７１４から構成されている。これらの各プログラム部品の作用については後述する。
【００６０】
図８は、図１，図２に示すパーソナルコンピュータ８０内に構成された本発明の色再現特性表示装置の一実施形態を含むプロファイル作成表示装置の機能ブロック図である。
【００６１】
この図８に示すプロファイル作成表示装置８００は、測色データ入力部８１５、プロファイル作成部８１６、画像表示部８１２、範囲指定部８１１、表示プロット指定部８１３、およびモード切替部８１４から構成されている。ここで、図８のプロファイル作成表示装置８００の各構成要素のうち、範囲指定部８１１、画像表示部８１２、表示プロット指定部８１３、およびモード切替部８１４は、図１，図２に示すパーソナルコンピュータ８０と図７に示す色再現特性表示プログラム７１０との複合により構成されたものであり、図８に示すプロファイル作成表示装置８００の範囲指定部８１１、画像表示部８１２、表示プロット指定部８１３、およびモード切替部８１４は、図７に示す色再現特性表示プログラム７１０の、それぞれ、範囲指定部７１１、画像表示部７１２、表示プロット指定部７１３、およびモード切替部７１４に相当する。ただし、ここでは同一の名称が用いられていても、図８に示す各構成要素はハードウェアとソフトウェアとの複合を指しており、図７に示す色再現特性表示プログラム７１０の各構成要素は、そのうちのアプリケーションソフトウェアの部分のみを指している。
【００６２】
以下、図８に示すプロファイル作成表示装置８００の各構成要素を説明することで、図７の色再現特性表示プログラム７１０の各構成要素についても説明する。
【００６３】
図８のプロファイル作成表示装置８００の測色データ入力部８１５は、図１，図２に示す分光測色計７０で得られた測色データを受け取って、次のプロファイル作成部８１６に渡す機能を有するものであり、ハードウェア上は、主に、図３に示すパーソナルコンピュータ８０のＩ／Ｏインタフェース８７６がこれに相当する。
【００６４】
またプロファイル作成部８１６は、図４，図５を参照して説明した印刷プロファイルやプリンタプロファイルを作成する機能を有するものであり、パーソナルコンピュータ８０に不図示のプロファイル作成プログラムがインストールされることにより実現されている。ハードウェア上はそのプログラムが動作するＣＰＵ８１１等がこれに相当する。
【００６５】
また、範囲指定部８１１は、ＣＭＹＫ色空間上の所望の座標範囲を操作に応じて指定するものであり、ハードウェア上は、主として、図２，図３に示すパーソナルコンピュータ８０のキーボード８３やマウス８４がこれに相当する。
【００６６】
また画像表示部８１２は、基本的には、ＣＭＹＫ色空間内を格子状に区切ったときの各格子点の座標のうちの範囲指定部８１１で指定された座標範囲内の各座標に対応するＬ*ａ*ｂ*色空間上の各座標点をプロットした色再現画像を表示するものである。この画像表示部８１２は、ハードウェア上は、主として、図２，図３に示すパーソナルコンピュータ８０の画像表示部８２がこれに相当する。この画像表示部８１２における具体的な表示態様については後述する。
【００６７】
表示プロット指定部８１３は、画像表示部８１２において表示された色再現画像上にプロットされた点のうちの所望の点を操作に応じて指定するものである。この表示プロット指定部８１３は、ハードウェア上は、主として、マウス８４がこれに相当する。表示プロット指定部８１３により色再現画像上の所望の点が指定されると、画像表示部８１２は、その色再現画像とともに、表示プロット指定部８１３により指定された色再現画像上の点に相当する、ＣＭＹＫ色空間の座標値と、Ｌ*ａ*ｂ*色空間上の座標値を表示する。
【００６８】
また、表示プロット指定部８１３は、操作に応じて、色再現画像上にプロットされた点のうちの所望の２つの点を指定することもできる。この場合、画像表示部８１２は、色再現画像とともに、その表示プロット指定部８１３により指定された色再現画像上の２つの点に相当する、Ｌ*ａ*ｂ*色空間上の２つの座標内の距離の情報（ここでは色差）を表示する。
【００６９】
また、画像表示部８１２は、１つの画面上には、基本的にはある１つの出力デバイス（ここでは図１に示す印刷機４０とプリンタ６０のいずれか）の色再現画像を表示するものであるが、複数の出力デバイス（ここでは印刷機４０とプリンタ６０との双方）の色再現画像を重ねて表示するモードも有り、モード切替部８１４により、操作に応じて、ある１つの出力デバイスの色再現画像を表示するモード、あるいは複数の出力デバイスの色再現画像を重ねて表示するモードに切り換えられる。
【００７０】
図９は、画像表示部８１２に画像表示装置８２の表示画面８２ａ（図２参照）上に表示される画像の第１例を示す図である。
【００７１】
この画像は、全体として、上部パネル表示部９１０と、色再現画像表示部９２０と、下部パネル表示部９３０で構成されている。
【００７２】
色再現画像表示部９２０は、ＣＭＹＫ色空間のＣ，Ｍ，Ｙ，Ｋそれぞれについて網％で１０％きざみ（０％，１０％，……，１００％）の各格子点のうち、後述する下部パネル表示部９３０の「Ｖｉｅｗ  Ａｒｅａ」で指定された範囲内の各格子点の座標に対応する、Ｌ*ａ*ｂ*色空間内の各座標点を指し示すポイントがプロットされた色再現画像を表示する部分である。
【００７３】
上部パネル表示部９１０の「Ｖｉｅｗ」は、マウス操作により「ａｂ  Ｐｌａｎｅ」と「Ｌａｂ  Ｓｐａｃｅ」（図１０参照）との２つから選択でき「ａｂ  Ｐｌａｎｅ」は、色再現画像表示部９２０にＬ*軸を視線としてＬ*軸の上側（値の大きい側）から下側（値の小さい側）を見たときの二次元表示の色再現画像を表示すること、「Ｌａｂ  Ｓｐａｃｅ」は、色再現画像表示部９２０に、Ｌ*ａ*ｂ*の三次元表示の色再現画像を表示することを示している。
【００７４】
また、上部パネル表示部９１０の「Ｓｈｏｗ  ｃｏｎｔｒｏｌ」は、マウス操作により、下部パネル表示部９３０を表示するか画面上から消去するかを切り換えるものである。
【００７５】
さらに上部パネル表示部９１０の「Ｓｈｏｗ  Ｃｏｍｐａｒｅ」は、マウスを一回クリックするごとに、色再現画像表示部９２０に、図９，図１０に示すような、１つの出力デバイスの色再現画像のみを表示するか、図１１，図１２に示すような、２つの出力デバイスの色再現画像を重ねて表示するか切り換えるものである。この「Ｓｈｏｗ  Ｃｏｍｐａｒｅ」は、図８のプロファイル作成表示装置８００のモード切替部８１４のＧＵＩ画面である。
【００７６】
色再現画像表示部９２０に、１つの出力デバイスの色再現画像を表示する時は、その色再現画像を構成する各ポイントは、そのポイントのＬ*ａ*ｂ*色空間の座標に相当する色で表現されており、色再現画像表示部９２０に２つの出力デバイスの色再現画像を重ねて表示するときは、１つの色再現画像内のポイントは同一色であって、２つの色再現画像間では相互に異なる色で表示される。
【００７７】
下部パネル表示部９３０の「Ｖｉｅｗ  Ａｒｅａ」は、図８のプロファイル作成表示装置８００の範囲指定部８１１のＧＵＩ画面であり、マウス操作により、Ｃ，Ｍ，Ｙ，Ｋのそれぞれについて、「０％」，「１０％」，……，「１００％」、および「ＡＬＬ」の中から選択することができる。「０％」，「１０％」，……，「１００％」は、網％をそれぞれ０％，１０％，……，１００％に固定すること、「ＡＬＬ」は、０％〜１００％の全てを選択することを表わしている。この図９に示す例では、Ｃ，Ｍ，Ｙ，Ｋがそれぞれ「ＡＬＬ」，「ＡＬＬ」，「ＡＬＬ」，「０％」と指定されており、これはＫ＝０％のときのＣ軸，Ｍ軸，Ｙ軸で規定される３次元色空間内の１０％きざみの各格子点に対応するＬ*ａ*ｂ*色空間内のポイントを表示することを表わしており、ここでは上部パネル表示部９１０の「Ｖｉｅｗ」により「ａｂ  Ｐｌａｎｅ」が選択されているため、色再現画像表示部９２０には、それらのポイントがＬ*軸に平行に上から覗めたときの色再現画像が表示される。
【００７８】
また、下部パネル表示部９３０の「Ｃｏｌｏｒ」は、色再現画像表示部９２０の背景の色を選択する部分であり、背景の色を「Ｗｈｉｔｅ」（白）と「Ｂｌａｃｋ」（黒）とに切り換えることができる。また「Ｐｏｉｎｔ」は色再現画像表示部９２０に表示される色再現画像を構成する各ポイントの寸法を選択するものである。
【００７９】
その「Ｐｏｉｎｔ」の下の「Ｃ：」，「Ｍ：」，「Ｙ：」，「Ｋ：」，「Ｌ：」，「ａ：」，「ｂ：」は、色再現画像を構成するいずれかのポイントにマウスカーソル９２１を合わせたときに、そのポイントに対応するＣＭＹＫ色空間の座標（ＣＭＹＫの各値）とＬ*ａ*ｂ*色空間上の座標（Ｌ*ａ*ｂ*の各値）が表示される欄である。この図９では、ａ*ｂ*面へ投影された形状の色再現画像が表示されており、マウスカーソル９２１がいずれのポイントからも離れているときは、図９に「ａ：８０」，「ｂ：６５」と示すように、現在のマウスカーソルの位置のａ*値とｂ*値のみが表示される。
【００８０】
その右隣りの「Ｒｅｆｅｒｅｎｃｅ  Ｐｏｉｎｔ」も、色再現画像上のポイントの、ＣＭＹＫ色空間の座標（ＣＭＹＫの各値）とＬ*ａ*ｂ*色空間上の座標（Ｌ*ａ*ｂ*の各値）を示す欄であり、マウスカーソル９２１を色再現画像上のいずれかのポイントに合わせてマウスクリックを行なったときに、そのポイントが参照ポイントとして登録されるとともに、「Ｒｅｆｅｒｅｎｃｅ  Ｐｏｉｎｔ」の欄に、その参照ポイントのＣＭＹＫとＬ*ａ*ｂ*の各値が表示される。このようなマウスクリックにより参照ポイントを登録しておいてマウスカーソル９２１を別のポイントに移動すると、その「Ｒｅｆｅｒｅｎｃｅ  Ｐｏｉｎｔ」の左隣りの欄に、マウスカーソル９２１が現在指し示しているポイントのＣＭＹＫとＬ*ａ*ｂ*の各値が表示されるとともに、その下の「Ｄｅｌｔａ  Ｅ」の欄のそれら２つのポイント（参照ポイントとマウスカーソルが現在指し示しているポイント）の間の色差が表示される。
【００８１】
また、「Ｒｅｆｅｒｅｎｃｅ  Ｐｏｉｎｔ」の欄の直上に表示されている「ＬＡｘｉｓ」は、上部パネル表示部９１０の「Ｖｉｅｗ」により「ａｂ  Ｐｌａｎｅ」が選択されているときに、下部パネル表示部９３０の左側の「Ｖｉｅｗ  Ａｒｅａ」とともに、図８のプロファイル作成表示装置８００の範囲指定部８１１のＧＵＩを構成するものである。「Ｖｉｅｗ  Ａｒｅａ」の説明では、色再現画像表示部９２０には、ＣＭＹＫ色空間内の、「Ｖｉｅｗ  Ａｒｅａ」で指定された範囲のポイント集合からなる色再現画像が表示される旨説明したが、これは、「ＬＡｘｉｓ」のスライドバーが１００．０の位置であるときであり、「ＬＡｘｉｓ」のスライドバーが１００．０から動かされたときは色再現画像は以下のように変化する。
【００８２】
すなわち、「ＬＡｘｉｓ」のスライドバーは、図９では１００．０に合わせてあるが、この場合、Ｌ*ａ*ｂ*空間をＬ*軸上Ｌ*＝１００．０（最大値）の位置で、ａ*−ｂ*平面に平行に広がる面で区切ったときの、その面よりも下（Ｌ*値が小さい側）に配列されたポイントが表示される（すなわち、１００．０のときはＬ*ａ*ｂ*色空間全体が表示される）。これに対し、「ＬＡｘｉｓ」のスライドバーを、例えば５０．０（中央）まで動かすと、Ｌ*ａ*ｂ*色空間の、Ｌ*軸をａ*−ｂ*平面と平行にＬ*＝５０．０で切る平面の下側に配列されたポイントのみが表示される。
【００８３】
図１０は、画像表示部８１２により画像表示装置８２の表示画面８２ａ（図２参照）上に表示される画像の第２例を示す図である。
【００８４】
この画像も、図９の場合と同様、上部パネル表示部９１０と、色再現画像表示部９２０と、下部パネル表示部９３０とで構成されている。
【００８５】
この図１０の色再現画像表示部９２０に表示されている色再現画像は、上部パネル表示部９１０の「Ｖｉｅｗ」で「Ｌａｂ  Ｓｐａｃｅ」が選択されたときに表示される、三次元表示の画像であり、立体的なイメージを演出するため、その色再現画像のまわりに三次元的な部屋が描画されている。
【００８６】
上部パネル表示部９１０の「Ｓｈｏｗ  ｃｏｎｔｒｏｌ」，「Ｓｈｏｗ  Ｃｏｍｐａｒｅ」は図９の場合と同一であり説明は省略するが、ここでも、図９の場合と同様、「Ｓｈｏｗ  Ｃｏｍｐａｒｅ」はマウス操作されておらず、色再現画像表示部９２０には、１つの出力デバイスの色再現画像が表示されている。
【００８７】
下部パネル表示部９３０の、「Ｖｉｅｗ  Ａｒｅａ」，「Ｃｏｌｏｒ」，「Ｐｏｉｎｔ」は図９の場合とそれぞれ同一の機能を有するものであり、図９を参照して説明済であるので、ここでは説明は省略する。
【００８８】
「Ｐｏｉｎｔ」の下の「ａ*」，「ｂ*」，「Ｌ*」の各スライドバーは、色再現画像表示部９２０に表示される色再現画像の三次元立体の姿勢を指定するものである。
【００８９】
「ａ*」，「ｂ*」，「Ｌ*」のいずれもがゼロの初期状態（それら３つのスライドバーのいずれもが中間位置にある状態）では、図９と同様な視点、すなわち、Ｌ*ａ*ｂ*色空間をＬ*軸を上（値の大きい方）から下（値の小さい方）に覗めた状態の色再現画像が表示され、「ａ*」，「ｂ*」，「Ｌ*」のスライドバーを動かすとそれぞれａ*軸，ｂ*軸，Ｌ*軸のまわりの回転角度が調整され、その調整された回転角度だけその軸のまわりに回転した状態の色再現画像が表示される。
【００９０】
「ａ*」，「ｂ*」，「Ｌ*」のスライドバーを動かした後、「Ｒｅｓｅｔ」をクリックすると、それらのスライドバーがいずれも初期位置に復帰する。
【００９１】
ここで、例えば色再現画像表示部９２０に初期状態の色再現画像が表示された状態で「ａ*」，「ｂ*」，「Ｌ*」のスライドバーを動かしたとき、ａ*軸，ｂ*軸，Ｌ*軸のまわりの回転の順番により、すなわち、例えば先ずａ*軸のまわりに回転し、次にｂ*軸のまわりに回転し、最後にＬ*軸のまわりに回転するか、あるいはそれとは異なる順番により回転するかにより、回転後の最終の色再現画像の姿勢が異なることになる。そこで、ここでは、「Ｆｏｌｌｏｗ」と「Ａｂｓｏｌｕｔｅ」の２つの回転タイプが用意されている。この図１０では「Ａｂｓｏｌｕｔｅ」が指定されており、この「Ａｂｓｏｌｕｔｅ」を指定すると、「ａ*」，「ｂ*」，「Ｌ*」のスライドバーをどの順序で操作しても、色再現画像表示部９２０には、必ず初期状態から、最初にａ*軸のまわりに回転し、次にｂ*軸のまわりに回転し、最後にＬ*軸のまわりに回転するときの姿勢の色再現画像が表示される。
【００９２】
一方「Ｆｏｌｌｏｗ」を指定すると、「ａ*」，「ｂ*」，「Ｌ*」の各スライドバーを操作したとき、その操作の順序に従ってその軸のまわりにその操作量に応じた回転角度だけ回転した姿勢の色再現画像が表示される。この「Ｆｏｌｌｏｗ」では、現在ある１つの姿勢の色再現画像が表示されていたときに、例えば「ａ*」のスライドバーを操作すると、それまで表示されていた色再現画像がａ*軸のまわりに、今回の操作量に応じた回転量だけ回転する。
【００９３】
また下部パネル表示部９３０の右側の「Ｄｉｓｔａｎｃｅ」は、「＋」をクリックしてプラス側に動かすとその操作量に応じて色再現画像に視点が近づいた状態の色再現画像（すなわち、拡大された色再現画像）が色再現画像表示部９２０に表示され、「−」をクリックしてマイナス側に動かすと、色再現画像から視点が遠ざかった状態の色再現画像（すなわち、縮小された色再現画像）が色再現画像表示部９２０に表示される。「０」をクリックすると標準の視点位置に戻る。
【００９４】
また、その下の「Ｅｙｅ」を構成する上下左右の三角マークと中央の「ｒｅｓｅｔ」は、それをマウス操作することにより、色再現画像表示部９２０に表示される色再現画像が、視点が上下左右に動き、あるいは元に戻ったように変化する。
【００９５】
図１１は、図８に示すプロファイル作成表示装置８００の画像表示部８１２により、画像表示装置８２の表示画面８２ａ（図２参照）上に表示される画像の第３例を示す図である。
【００９６】
この画像も、図９，図１０の場合と同様、上部パネル表示部９１０と、色再現画像表示部９２０と、下部パネル表示部９３０とで構成されている。
【００９７】
この図１１の色再現画像表示部９２０に表示された色再現画像は、上部パネル表示部９１０の「Ｖｉｅｗ」で「ａｂ  Ｐｌａｎｅ」が選択されていることからａ*−ｂ*面に投影された二次元表示のものである。ただし、図９の場合とは異なり、この図１１では、上部パネル表示部９１０の「Ｓｈｏｗ  Ｃｏｍｐａｒｅ」がクリックされ、その結果、色再現画像表示部９２０には、２つの色再現画像が重ねられて表示されている。さらに、この図１１では、下部パネル表示部９３０の「Ｖｉｅｗ  Ａｒｅａ」の「Ｃ」，「Ｍ」，「Ｙ」，「Ｋ」がそれぞれ「ＡＬＬ」，「ＡＬＬ」，「０％」，「０％」と指定されており、したがって色再現画像表示部９２０には、Ｙ＝０％かつＫ＝０％のＣ−Ｍ平面に並ぶ各格子点に対応するＬ*ａ*ｂ*色空間の各ポイントが表示されている。
【００９８】
また、この図１１では、色再現画像上のある１つのポイントにマウスカーソル９２１が合わせられてマウスクリックがなされた結果、そのポイントが参照ポイントとして登録されるとともに、「Ｒｅｆｅｒｅｎｃｅ  Ｐｏｉｎｔ」の領域に、その参照ポイントのＣＭＹＫおよびＬ*ａ*ｂ*の各値が表示されている。さらに、その参照ポイントには矩形のマークが表示され、かつ、その矩形マーク内にその参照ポイントが拡大されて表示される。この図１１では、その後さらにマウスカーソル９２１が別のポイントを指し示すように移動され、「Ｒｅｆｅｒｅｎｃｅ  Ｐｏｉｎｔ」の左隣りに、マウスカーソル９２１が現在指し示しているポイントのＣＭＹＫおよびＬ*ａ*ｂ*の各値が表示され、その下の「Ｄｅｌｔａ  Ｅ」の欄には、それら２つのポイントの間の色差が表示されている。
【００９９】
図１２は、図８に示すプロファイル作成表示装置８００の画像表示部８１２により、画像表示装置８２の表示画面８２ａ（図２参照）上に表示される画像の第４例を示す図である。
【０１００】
この画像も、これまでの図９〜図１１と同様、上部パネル表示部９１０と、色再現画像表示部９２０と、下部パネル表示部９３０とで構成されている。
【０１０１】
この図１２の色再現画像表示部９２０に表示された色再現画像は、上部パネル表示部９１０の「Ｖｉｅｗ」で「Ｌａｂ  Ｓｐａｃｅ」が選択されていることからＬ*ａ*ｂ*色空間が三次元で表示された画像であり、しかも、この図１２では、上部パネル表示部９１０の「Ｓｈｏｗ  Ｃｏｍｐａｒｅ」がクリックされることにより、色再現画像表示部９２０には、２つの出力デバイスの色再現画像が重ねられた状態（この場合立体であるので、三次元的に表現すれば相互に入り込んだ状態をいう）で表示されている。
【０１０２】
この図１２のその他の点は、図１０に示す第２例の場合と同様であり、説明は省略する。
【０１０３】
尚、上記実施形態では、図１に示すプリンタ６０のプロファイルを表示すること、およびそのプリンタ６０のプロファイルに印刷機４０のプロファイルを重ねて表示することを念頭において説明したが、図１〜図３に示すパーソナルコンピュータ８０内に構成された、図８に示すプロファイル作成表示装置８００では、プリンタプロファイルのみでなく、印刷機４０（図１参照）のプロファイルを単独で表示することもでき、カラースキャナ１０のプロファイルを作成・表示することもできる。カラースキャナ１０のプロファイルを表示するにあたっては、図１に示す原稿画像１１に代わり、図２に示すカラーチャート９０と同一フォーマットのカラーチャートをカラースキャナ１０で読み取ってＣＭＹＫの画像データを得、このようにして得た画像データを、例えばフロッピーディスク等の可搬型記憶媒体を介して、あるいはカラースキャナ１０をパーソナルコンピュータ８０に直接に接続しておいて読み取りを行なうことなどにより、パーソナルコンピュータ８０に取り込み、さらに、そのカラースキャナ１０に読み取らせたカラーチャートを分光測色計７０で測色しＬ*ａ*ｂ*の測色データを得てその測色データをパーソナルコンピュータ８０に取り込み、そのパーソナルコンピュータ８０内に構成された図８のプロファイル作成装置８００のプロファイル作成部８１６でそれらＣＭＹＫの画像データとＬ*ａ*ｂ*の測色データを対応づけることにより、カラースキャナ１０のプロファイルを作成し、そのようにして作成したプロファイルを、上記の説明と同様にして表示することができる。また、このカラースキャナ１０のプロファイルに、印刷機４０のプロファイルあるいはプリンタ６０のプロファイルを重ねて表示することもできる。あるいは、プロファイルの作成方法自体は本発明の主題ではなく、図１に図示されていない別の種類の入力デバイスや出力デバイス、例えば電子スチールカメラや画像ディスプレイ装置等のプロファイルを入手して、それを表示することもできる。
【０１０４】
このように、本発明では、画像を入力あるいは出力（表示を含む）するデバイスの種類を問わず、どのようなデバイスの色再現特性であっても単独で、あるいは複数重ねて表示することができる。
【０１０５】
また、上記実施形態はＣＭＹＫ色空間とＬ*ａ*ｂ*色空間との間の変換を取り扱うプロファイルの表示形態に関するものであるが、本発明は、それに限らず、ＲＧＢ色空間とＬ*ａ*ｂ*色空間、あるいは、ＣＭＹＫ色空間あるいはＲＧＢ色空間とＸＹＺ色空間等との間の関係を規定したプロファイルを表示する場合にも適用することができるものである。
【０１０６】
【発明の効果】
以上、説明したように、本発明によれば、プロファイルデータ上で詳細な検討を行なうのに適した表示を得ることができる。
【図面の簡単な説明】
【図１】本発明の一実施形態が適用された印刷およびプルーフ画像作成システムの全体構成図である。
【図２】図１にブロックで示す分光測色計およびパーソナルコンピュータの外観斜視図である。
【図３】そのパーソナルコンピュータのハードウェア構成図である。
【図４】印刷プロファイルの概念図である。
【図５】プリンタプロファイルの概念図である。
【図６】印刷プロファイルとプリンタプロファイルを結合させた結合プロファイルを示す図である。
【図７】本発明の色再現特性表示プログラム記憶媒体の一実施形態を示す図である。
【図８】図１，図２に示すパーソナルコンピュータ内に構成された、本発明の色再現特性表示装置の一実施形態を含むプロファイル作成表示装置の機能ブロック図である。
【図９】画像表示装置の表示画面上に表示される画像の第１例を示す図である。
【図１０】画像表示装置の表示画面上に表示される画像の第２例を示す図である。
【図１１】画像表示装置の表示画面上に表示される画像の第３例を示す図である。
【図１２】画像表示装置の表示画面上に表示される画像の第４例を示す図である。
【符号の説明】
１０    カラースキャナ
２０    ワークステーション
３０    フィルムプリンタ
４０    印刷機
５０    パーソナルコンピュータ
６０    プリンタ
７０    分光測色計
８０    パーソナルコンピュータ
７００    色再現特性表示プログラム記憶媒体
７１０    色再現特性表示プログラム
７１１，８１１    範囲指定部
７１２，８１２    画像表示部
７１３，８１３    表示プロット指定部
７１４，８１４    モード切替部
８００    プロファイル作成装置
８１５    測色データ入力部
８１６    プロファイル作成部
９１０    上部パネル表示部
９２０    色再現画像表示部
９３０    下部パネル表示部
【図１】
0004077148.tif 000002
【図２】
0004077148.tif 000003
【図３】
0004077148.tif 000004
【図４】
0004077148.tif 000005
【図５】
0004077148.tif 000006
【図６】
0004077148.tif 000007
【図７】
0004077148.tif 000008
【図８】
0004077148.tif 000009
【図９】
0004077148.tif 000010
【図１０】
0004077148.tif 000011
【図１１】
0004077148.tif 000012
【図１２】
0004077148.tif 000013